(57)【要約】【課題】本印刷以外に必要な印刷については許可し印刷業者にとっての利便性は確保しつつ、無制限な増刷の抑止に資することができる印刷装置を提供する。【解決手段】ＭＦＰ６において、通信部３３は、印刷依頼装置から印刷請負装置にデータ入稿される原稿データ１２１を、印刷請負装置からジョブチケット１２２と共に受け取り、印刷部３４が、ジョブチケット１２２で指定された印刷部数だけ原稿データ１２１を印刷し、制御部３９は、操作部３２、表示部３１と協働して原稿データ１２１について本印刷以外の増刷要因毎の増刷指示を取得して、印刷部３４に原稿データ１２１を増刷させ、ログ生成部３５が、増刷要因毎の増刷部数を記録した印刷ログ１２５を生成し、通信部３３が印刷ログ１２５を印刷依頼装置に送信する。【選択図】図５
2012111102.tif 000002
【特許請求の範囲】
【請求項１】
印刷依頼装置から印刷請負装置にデータ入稿される原稿データを、前記印刷請負装置からの印刷要求に基づき印刷する印刷装置であって、
対となる暗号鍵と復号鍵のうち復号鍵を保持する鍵保持手段と、
前記暗号鍵を保持する前記印刷依頼装置によって前記暗号鍵を用いて暗号化され送信された、原稿データ及び前記原稿データの印刷部数を示す印刷部数情報を、前記印刷請負装置を介して受信する受信手段と、
前記暗号化された原稿データ及び印刷部数情報を前記復号鍵を用いて復号する復号手段と、
前記原稿データを印刷する印刷手段と、
前記原稿データについて、前記印刷部数情報により示される印刷部数だけ前記印刷手段に印刷させるとともに、所定の増刷要因毎に増刷指示を取得した場合には、前記印刷手段に前記原稿データを増刷させる制御手段と、
前記増刷要因毎の増刷部数を記録した印刷ログを生成するログ生成手段と、
原稿データの印刷が完了した時点の印刷ログを前記印刷依頼装置に送信する送信手段と
を備えることを特徴する印刷装置。
【請求項２】
前記所定の増刷要因は、前記原稿データを前記印刷部数印刷する本印刷の事前に印刷結果を確認するための確認印刷であり、
前記制御手段は、前記本印刷の前に、前記増刷指示として前記原稿データを１部増刷する指示を取得する
ことを特徴とする請求項１記載の印刷装置。
【請求項３】
前記所定の増刷要因は、前記原稿データを前記印刷部数印刷する本印刷における印刷物についての印刷不良であり、
前記制御手段は、前記本印刷の後に、前記増刷指示として前記本印刷において印刷不良であった部数増刷する指示を取得する
ことを特徴とする請求項１記載の印刷装置。
【請求項４】
前記所定の増刷要因は、前記印刷手段における印刷実行中のジャムの発生であり、
前記制御手段は、前記増刷指示として前記ジャムの発生した部数増刷する指示を取得する
ことを特徴とする請求項１記載の印刷装置。
【請求項５】
前記制御手段は、
所定の増刷要因毎に増刷部数の入力を促す表示をする表示部と、
前記増刷部数の入力を受け付ける操作部と、
前記印刷手段に、入力された増刷部数前記原稿データを増刷するよう指示する制御部と
を含むことを特徴とする請求項１記載の印刷装置。
【請求項６】
前記送信手段は、前記印刷ログの送信先として前記印刷依頼装置の識別情報を予め記憶しており、前記印刷ログを前記印刷請負装置を介さず前記印刷依頼装置に送信する
ことを特徴とする請求項１記載の印刷装置。
【発明の詳細な説明】
【技術分野】
【０００１】
本発明は、印刷装置に関し、特に、入稿データの不正な増刷の抑止に関する。
【背景技術】
【０００２】
近年、印刷業界においては、印刷依頼者である顧客が、印刷用の原稿である電子ファイル（例えばＰＤＦ（Ｐｏｒｔａｂｌｅ  Ｄｏｃｕｍｅｎｔ  Ｆｏｒｍａｔ）ファイルや、ワープロソフトにより生成されたドキュメントファイルなど）をネットワーク経由で印刷請負者である印刷業者に送信することでデータ入稿し、印刷業者が自己の有するＭＦＰ（Ｍｕｌｔｉｆｕｎｃｔｉｏｎ  Ｐｅｒｉｐｈｅｒａｌ）等で原稿を印刷するという形態が一般的になっている。しかし、この形態においては、印刷業者に悪意がある場合に、顧客が原稿の印刷部数を指定していたとしても、指定された以上の部数が不正に増刷され、増刷分が海賊版として出回ってしまうおそれがある。
【０００３】
これを回避する技術として、特許文献１に、代行アカウントを用いる印刷システムが開示されている。印刷依頼者は、印刷請負者に原稿の印刷を依頼する前に、印刷を代行できる代行アカウントを印刷請負者に対し発行する。印刷請負者は、代行アカウントを用いて印刷システムにログインし原稿を印刷する。この印刷システムにおいては、原稿の印刷は、データベースに記録される代行アカウント毎の利用可能頁数情報などの制約に基づき制御される。すなわち、印刷業者は、原稿データについて利用可能頁数情報を超える部数の印刷はできないよう制限される。そして、印刷が完了した場合、その旨が印刷依頼者に送信されるので、印刷依頼者は、指定した印刷部数、原稿が印刷されたことを確認することができる。
【先行技術文献】
【特許文献】
【０００４】
【特許文献１】特開２００８−４０５６４号公報
【発明の概要】
【発明が解決しようとする課題】
【０００５】
しかしながら、上述の技術では、原稿を印刷する場合に、原稿をデータベースに予め規定された利用可能頁数だけ印刷する本印刷以外の、やむを得ず必要な増刷ができないという問題がある。このやむを得ず必要な増刷には、例えば、試し刷りのための増刷（確認印刷）や、印刷装置において印刷エラーなど不具合は検出されなかったものの、印刷物を印刷業者が検査し実際の印刷品質が悪いと判断した場合にこれを補填するための増刷などがある。ここで、実際の印刷品質が悪い場合とは、印刷装置内外の温度変化、湿度変化、印刷用紙の状態の変化、連続印刷による印刷装置自体のコンディションの変化など印刷環境に変化が生じ、トナーこぼれや、かすれが発生した場合や、色が想定より薄く又は濃くなった場合などが想定される。また、印刷実行中に紙詰まり、トナー切れなどによるジャムが発生した場合に補填するための増刷なども上述のやむを得ず必要な増刷に含まれる。
【０００６】
上述の技術では、利用可能頁数を超えた印刷はできないよう制限されているため、上述のやむを得ず必要な増刷を行うことができず印刷依頼者、印刷業者にとって利便性が損なわれる。
上記の課題に鑑み、本発明は、本印刷以外の必要な印刷については許可し印刷業者にとっての利便性を確保しつつ、無制限な増刷の抑止に資することができる印刷装置を提供することを目的とする。
【課題を解決するための手段】
【０００７】
上記課題を解決するために、本発明は、印刷依頼装置から印刷請負装置にデータ入稿される原稿データを、前記印刷請負装置からの印刷要求に基づき印刷する印刷装置であって、対となる暗号鍵と復号鍵のうち復号鍵を保持する鍵保持手段と、前記暗号鍵を保持する前記印刷依頼装置によって前記暗号鍵を用いて暗号化され送信された、原稿データ及び前記原稿データの印刷部数を示す印刷部数情報を、前記印刷請負装置を介して受信する受信手段と、前記暗号化された原稿データ及び印刷部数情報を前記復号鍵を用いて復号する復号手段と、前記原稿データを印刷する印刷手段と、前記原稿データについて、前記印刷部数情報により示される印刷部数だけ前記印刷手段に印刷させるとともに、所定の増刷要因毎に増刷指示を取得した場合には、前記印刷手段に前記原稿データを増刷させる制御手段と、
前記増刷要因毎の増刷部数を記録した印刷ログを生成するログ生成手段と、原稿データの印刷が完了した時点の印刷ログを前記印刷依頼装置に送信する送信手段とを備える。
【発明の効果】
【０００８】
本発明の印刷装置は、上述の構成を備えることにより、原稿データについて印刷部数情報で示される部数の印刷である本印刷以外に必要とされる増刷を実行でき、かつ、印刷依頼装置側で、増刷について増刷要因毎の増刷部数を知ることができる。印刷依頼装置を有する顧客は、印刷ログを見ることで増刷の妥当性を判断することができる。顧客により増刷が不当と判断されれば、その印刷業者について取引停止等の措置が取られ得ることから、印刷業者による原稿データの不当な増刷の抑止に寄与できる。
【０００９】
また、前記所定の増刷要因は、前記原稿データを前記印刷部数印刷する本印刷の事前に印刷結果を確認するための確認印刷であり、前記制御手段は、前記本印刷の前に、前記増刷指示として前記原稿データを１部増刷する指示を取得することとしてもよい。
この構成によれば、原稿データについて印刷部数情報で示される部数の印刷である本印刷に先立ち、確認印刷を実行することができ、かつ、印刷依頼装置側で、確認印刷による増刷部数を知ることができる。印刷依頼装置を有する顧客は、印刷ログを見ることで確認印刷のための増刷の妥当性を判断することができる。
【００１０】
また、前記所定の増刷要因は、前記原稿データを前記印刷部数印刷する本印刷における印刷物についての印刷不良であり、前記制御手段は、前記本印刷の後に、前記増刷指示として前記本印刷において印刷不良であった部数増刷する指示を取得することとしてもよい。
この構成によれば、原稿データについて印刷部数情報で示される部数の印刷である本印刷以外に、印刷不良であった部数を補填するための増刷を実行することができ、かつ、印刷依頼装置側で、印刷不良を補填するための不具合印刷による増刷部数を知ることができる。印刷依頼装置を有する顧客は、印刷ログを見ることで、不具合印刷のための増刷の妥当性を判断することができる。
【００１１】
また、前記所定の増刷要因は、前記印刷手段における印刷実行中のジャムの発生であり、
前記制御手段は、前記増刷指示として前記ジャムの発生した部数増刷する指示を取得することとしてもよい。
この構成によれば、印刷実行中に紙詰まり、インク切れなどによるジャムが発生し印刷が失敗した場合に、その印刷に失敗した部数を補填するための増刷を実行することができ、かつ、印刷依頼装置側で、その増刷要因、増刷部数を知ることができる。これにより、印刷依頼装置を有する顧客が、増刷の妥当性を判断することができる。
【００１２】
また、前記制御手段は、所定の増刷要因毎に増刷部数の入力を促す表示をする表示部と、前記増刷部数の入力を受け付ける操作部と、前記印刷手段に、入力された増刷部数前記原稿データを増刷するよう指示する制御部とを備えることとしてもよい。
この構成によれば、ユーザが増刷要因毎に増刷部数を指定することができ、その指定された増刷部数の増刷を行うことができ、かつ、印刷依頼装置側で、増刷要因、増刷要因毎の増刷部数を知ることができる。印刷依頼装置を有する顧客は、印刷ログを見ることで、増刷要因毎に増刷の妥当性を判断することができる。
【００１３】
また、前記送信手段は、前記印刷ログの送信先として前記印刷依頼装置の識別情報を予め記憶しており、前記印刷ログを前記印刷請負装置を介さず前記印刷依頼装置に送信することとしてもよい。
この構成によれば、印刷ログは印刷請負装置を経由しないため、印刷請負装置において印刷ログが閲覧、改竄等されるのを防ぐことができる。印刷依頼装置を有する顧客は、より安全に印刷ログを取得することができる。
【図面の簡単な説明】
【００１４】
【図１】本発明の一実施形態に係る印刷システムの構成を示す図である。
【図２】本発明の一実施形態に係る顧客のＰＣの構成を示すブロック図である。
【図３】本発明の一実施形態に係るジョブチケットの一例を示す図である。
【図４】本発明の一実施形態に係る印刷業者のＰＣの構成を示すブロック図である。
【図５】本発明の一実施形態に係る印刷業者のＭＦＰの構成を示すブロック図である。
【図６】本発明の一実施形態に係る印刷ログの一例を示す図である。
【図７】本発明の一実施形態に係る印刷処理を示すフローチャートである。
【図８】本発明の一実施形態に係る印刷処理を示すフローチャートである。
【図９】本発明の一実施形態に係るジャム発生時処理を示すフローチャートである。
【図１０】印刷装置の表示部に表示されるパネルの一例を示す図である。
【図１１】印刷装置の表示部に表示されるパネルの一例を示す図である。
【図１２】本発明の一実施形態に係る印刷システムにおいて顧客のＰＣが印刷依頼をしてから印刷ログを受け取るまでの全体動作の一例を示す図である。
【発明を実施するための形態】
【００１５】
以下に、本発明の一実施形態について説明する。
１．構成
（概要）
図１は、本発明の一実施形態に係る印刷システム１の構成を示す図である。
本発明の一実施形態に係る印刷システム１は、印刷業者に原稿の印刷を要求する顧客のパーソナルコンピュータ（印刷依頼装置）ＰＣ２と、ネットワーク３を介してＰＣ２に接続する、印刷を請け負う印刷業者のルーティングハブ４と、ルーティングハブ４に接続された印刷業者のパーソナルコンピュータ（印刷請負装置）ＰＣ５と、印刷業者のＭＦＰ（Ｍｕｌｔｉ  Ｆｕｎｃｔｉｏｎ  Ｐｅｒｉｐｈｅｒａｌ）（印刷装置）６とを含んで構成される。
【００１６】
ＰＣ２は、保持している原稿データの印刷を依頼するため、原稿データとジョブチケットとをＰＣ５に対しデータ入稿する。原稿データは、印刷対象となる画像、文書等を表すデータであり、一例として、ＰＤＦファイルや、ワープロソフトにより生成されたドキュメントファイル等が該当する。また、ジョブチケットは、詳細は後述するが、印刷部数や、印刷時のレイアウトなど原稿データをどのように印刷するかを示す制御情報である。この原稿データ、ジョブチケットは、ＰＣ２により、ＭＦＰ６においてのみ復号可能に暗号化されている。
【００１７】
ＰＣ５は、暗号化された原稿データとジョブチケットとをＭＦＰ６に送信して原稿データの印刷を要求する。
ＭＦＰ６は、暗号化された原稿データとジョブチケットを復号し、ジョブチケットにより指定された部数、原稿データを印刷する（以下、本印刷という。）。また、ＭＦＰ６は、本印刷以外に、所定の増刷要因についての原稿データの増刷要求を受け付ける。そして増刷をした場合には、増刷の部数を印刷ログとして記録し、記録した印刷ログをＰＣ２に送信する。
【００１８】
この印刷ログはＰＣ２の表示部に表示される。よって、顧客は、本印刷以外に原稿データの増刷がされた場合にその増刷要因、増刷部数を知り、増刷の妥当性を判断することができる。顧客により増刷が不当と判断されれば、その印刷業者について取引停止等の措置が取られ得ることから、印刷業者による原稿データの不当な増刷の抑止に寄与することとなる。
（ＰＣ２）
ＰＣ２は、パーソナルコンピュータであり、マイクロプロセッサ、ＲＯＭ、ＲＡＭ、ハードディスクユニット、ディスプレイユニット、キーボード、マウスなどから構成されるコンピュータシステムである。ＲＯＭ又はハードディスクユニットには、コンピュータプログラムが記憶されており、ＲＡＭ上に読み出されたコンピュータプログラムに従ってマイクロプロセッサが動作することにより、ＰＣ２はその機能を達成する。
【００１９】
図２は、ＰＣ２の機能的な構成を示すブロック図である。
ＰＣ２は、表示部１１、操作部１２、通信部１３、記憶部１４、制御部１５、暗号処理部１６及び鍵保持部１７を含んで構成される。
表示部１１は、ＧＵＩ（Ｇｒａｐｈｉｃａｌ  Ｕｓｅｒ  Ｉｎｔｅｒｆａｃｅ）等を表示するディスプレイデバイス及びＧＵＩの表示制御を行う表示制御部（図示せず）を含んで構成される。
【００２０】
操作部１２は、顧客がＰＣ２に対する指示を入力するために用いるキーボード、マウス、タッチパネル等の入力デバイスである。
通信部１３は、他の装置等と通信を行う。
記憶部１４は、原稿データ１２１、ジョブチケット１２２を暗号化するなどしてセキュアに記憶している。ここで、記憶部１４によるセキュアなデータの記憶は、記憶部１４がデータの暗号化、復号機能を有し、その機能によりデータを暗号、復号することとしてもよいし、記憶部１４に耐タンパ性を持たせることで実現してもよい。
【００２１】
原稿データ１２１は、ＭＦＰ６に印刷を要求する画像、文書等を表すデータである。本実施形態では、原稿データ１２１は、ＰＤＦファイルであるとする。
また、ジョブチケット１２２は、ＭＦＰ６による印刷対象とする原稿データ１２１に対応付けられ、原稿データ１２１をどのように印刷するか、どのように扱うか等を示す制御情報である。
【００２２】
図３は、ジョブチケット１２２の一例を示す図である。
ジョブチケット１２２は、ジョブチケットの発行元を示す発行元ＩＤ、ジョブの識別情報であるジョブＩＤ、ジョブチケット１２２が印刷制御の対象とする原稿データ１２１の識別情報である原稿ＩＤ、原稿データ１２１の印刷部数、印刷する用紙のサイズを指定する用紙サイズ、原稿データ１２１を印刷する際の印刷倍率、ステープラやパンチなどによる処理など仕上げ方法を示す仕上げの各項目を含む。なお、ジョブＩＤは、ジョブの識別の他、ジョブチケットを識別するためのＩＤも兼ねている。図３では、ジョブチケット１２２は、具体的には、発行元ＩＤがＰＣ２を示す０００１であり、ジョブＩＤが０００１であり、原稿ＩＤが０００１であり、印刷部数が１００部であり、用紙サイズはＡ４であり、印刷倍率は１倍であり、仕上げはステープル処理することを示している。ジョブチケット１２２には、上記項目の他、図３には示していないが、両面印刷するか片面印刷するかの別、２イン１印刷、４イン１印刷を行うかなどの他、印刷に関連する情報を含めることとしてもよい。
【００２３】
ジョブチケット１２１は、顧客が操作部１２を用いて、ジョブチケット１２２の各項目について値を入力し、その入力された値を用いて制御部１５が生成するものとする。ここで、顧客は、項目の全てについて値を入力する必要はなく、例えば、この識別情報、片面印刷、Ａ４用紙、１倍、１部など各パラメータの初期値は予め決められており、或いは、前回ジョブチケットの生成の際に用いたもの等を制御部１５が保持しており、変更の必要があるもののみ顧客が入力するものとしてもよい。また、他装置において作成されたジョブチケットを用いるなど他の方法で取得することとしてもよい。
【００２４】
制御部１５は、顧客が操作部１２を介して入力する印刷に関する指示等に基づき、ＭＦＰ６に印刷を要求するための印刷要求データを作成する。印刷要求データには、印刷を実行するＭＦＰの識別情報ＭＦＰ−ＩＤ（本実施形態ではＭＦＰ６の識別情報）と、暗号化された原稿データ及び暗号化されたジョブチケットが含まれる。以下、原稿データ及びジョブチケットを合わせて印刷データという場合もある。制御部１５は、原稿データとジョブチケットとの暗号化要求を暗号処理部１６に出力する。暗号化要求には、原稿データ１２１の識別情報である原稿ＩＤと、ジョブチケット１２２を識別するジョブＩＤとが含まれているものとする。制御部１５は、暗号処理部１６から、暗号化要求への応答として、暗号化された原稿データ１２１と、暗号化されたジョブチケット１２２とを受け取る。ここで、暗号処理部１６による暗号化は、原稿データ、ジョブチケットそれぞれ別個に行ってもよいし、原稿データ、ジョブチケット合わせて一括暗号化してもよい。制御部１５は、この暗号化された原稿データと、暗号化されたジョブチケットとに、印刷を実行するＭＦＰの識別情報を加えて印刷要求データを生成する。ここで、制御部１５は、予め、ＭＦＰ６の識別情報を記憶しているものとする。そして、制御部１５は、印刷要求データを通信部１５に対し出力して、ＰＣ５へと送信させる。
【００２５】
制御部１５は、また、通信部１３を介して、ＭＦＰ６から後述する暗号化された印刷ログを受け取る。この場合、制御部１５は、暗号処理部１６に対し、ＭＦＰ６から取得した暗号化された印刷ログの復号を指示する。なお、印刷ログの暗号化は、ＭＦＰ６において、後述するＰＣ２の公開鍵である顧客公開鍵１０２を用いて行われており、ＰＣ２の私有鍵である顧客私有鍵１０１を用いて復号される。
【００２６】
制御部１５は、暗号化された印刷ログが暗号処理部１６により復号された場合、復号された印刷ログを表示するよう表示部１１に指示する。表示部１１は、具備するディスプレイデバイスに印刷ログを表示する。
鍵保持部１７は、予めＭＦＰ６について公開鍵暗号方式に基づき生成された一組の公開鍵と私有鍵であるＭＦＰ私有鍵１１１とＭＦＰ公開鍵１１２のうち、ＭＦＰ公開鍵１１２を記憶している。また、鍵保持部１７は、予めＰＣ２について公開鍵暗号方式に基づき生成された一組の公開鍵と私有鍵である顧客私有鍵１０１と顧客公開鍵１０２のうち、顧客私有鍵１０１を記憶している。ＭＦＰ公開鍵１１２を用いて暗号化されたデータは、ＭＦＰ私有鍵１１１を用いてのみ復号できるものとする。また、顧客公開鍵１０２を用いて暗号化されたデータは、顧客私有鍵１０１を用いてのみ復号できるものとする。なお、本実施形態では、公開鍵暗号方式を用いることとしたがこれに限らず、共通鍵暗号方式など他の暗号方式を用いることとしてもよい。また、原稿データ、ジョブチケットの改竄検出を行うために、原稿データ、ジョブチケットからデジタル署名を生成して付加するものとしてもよい。この場合、ＭＦＰ６は、原稿データ、ジョブチケットとともにデジタル署名を受け取って原稿データ、ジョブチケットに改竄が無いことを確認することとなる。
【００２７】
暗号処理部１６は、制御部１５から、暗号化要求を受け取ると、暗号化要求に含まれる原稿ＩＤ、ジョブＩＤにより識別できる原稿データ１２１と、ジョブチケット１２２とを読み出して、ＭＦＰ６の公開鍵を用いて暗号化して制御部１５に出力する。
なお、この暗号化は、原稿データとジョブチケットとを合わせて行ってもよいし、原稿データとジョブチケットとを別個にそれぞれ暗号化することとしてもよい。
【００２８】
また、暗号処理部１６は、制御部１５により、ＭＦＰ６から受け取る暗号化された印刷ログ１２５の復号を指示された場合、暗号化された印刷ログ１２５を顧客私有鍵１０１を用いて復号し制御部１５に通知する。
（ＰＣ５）
ＰＣ５は、印刷業者が使用するパーソナルコンピュータであり、マイクロプロセッサ、ＲＯＭ、ＲＡＭ、ハードディスクユニット、ディスプレイユニット、キーボード、マウスなどから構成されるコンピュータシステムである。ＲＯＭ又はハードディスクユニットには、コンピュータプログラムが記憶されており、ＲＡＭ上に読み出されたコンピュータプログラムに従ってマイクロプロセッサが動作することにより、ＰＣ５は、その機能を達成する。
【００２９】
図４は、ＰＣ５の機能的な構成を示すブロック図である。
ＰＣ５は、表示部２１、操作部２２、制御部２３及び通信部２４を含んで構成される。
表示部２１は、ＧＵＩ等を表示するディスプレイデバイス及びＧＵＩの表示制御を行う表示制御部を含んで構成される。
操作部２２は、印刷業者がＰＣ５に対する指示を入力するためのキーボード、マウス、タッチパネル等の入力デバイスである。
【００３０】
通信部２４は、他の装置と通信を行う。例えば、通信部２４は、ＰＣ２から印刷要求データを受け取り、受け取った印刷要求データを制御部２３に出力する。
制御部２３は、ＰＣ５の動作を全体制御する。制御部２３は、通信部２４から印刷要求データを受け取った場合、印刷要求データのうちの暗号化された印刷データと暗号化されたジョブチケットとから成る印刷データを、印刷要求データに含まれる識別情報が示すＭＦＰ（ここでは、ＭＦＰ６）に対し送信する。なお、ＰＣ５は、暗号化された原稿データ、ジョブチケットの内容を復号できない。よって、ＰＣ５を利用する印刷業者は、ＰＣ５を用いて原稿データ、ジョブチケットの内容を改竄等はできない。
（ＭＦＰ６）
ＭＦＰ６は、印刷業者が所有し使用するＭＦＰであり、マイクロプロセッサ、ＲＯＭ、ＲＡＭ、ハードディスクユニット、ディスプレイユニット、キーパッド、プリンタユニット、ＦＡＸユニットなどから構成されるコンピュータシステムである。ＲＯＭ又はハードディスクユニットには、コンピュータプログラムが記憶されており、ＲＡＭ上に読み出されたコンピュータプログラムに従ってマイクロプロセッサが動作することにより、ＭＦＰ６はその機能を達成する。
【００３１】
図５は、ＭＦＰ６の機能的な構成を示すブロック図である。
ＭＦＰ６は、表示部３１、操作部３２、通信部３３、印刷部３４、ログ生成部３５、記憶部３６、鍵保持部３７、暗号処理部３８及び制御部３９を含んで構成される。
表示部３１は、ＧＵＩ等を表示するディスプレイデバイス及びＧＵＩの表示制御を行う表示制御部を含んで構成される。
【００３２】
操作部３２は、印刷業者がＭＦＰ６に対する指示を入力するためのキーパッド、タッチパネル等の入力デバイスである。
通信部３３は、他の装置と通信を行う。例えば、通信部３３は、ＰＣ５から暗号化された印刷データ、暗号化されたジョブチケットを受け取り、制御部３９に出力する。また、ＰＣ２に対し、暗号化された印刷ログを送信する。
【００３３】
印刷部３４は、制御部３９により行われるジョブチケットの内容等に基づく印刷制御に従い、印刷を実行するプリンタである。印刷部３４は、図示しないが、画像プロセス部、給紙部、定着部等を備え、画像プロセス部は、Ｙ〜Ｋ色のそれぞれに対応する作像部、光学部、中間転写ベルトなどを備えている。また、印刷部３４は、印刷中に生じ得る紙詰まり、トナー切れなどによるジャム発生の検出機構を備えており、ジャムの発生を制御部３９に通知する。また、ジャム発生枚数についても制御部３９に通知する。
【００３４】
記憶部３６は、原稿データ１２１、ジョブチケット１２２及び印刷ログ１２５などを暗号化するなどしてセキュアに記憶している。ここで、記憶部３６によるセキュアなデータの記憶は、記憶部３６がデータの暗号化、復号機能を有し、その機能によりデータを暗号、復号することとしてもよいし、記憶部３６に耐タンパ性を持たせることで実現してもよい。
【００３５】
また、原稿データ１２１、ジョブチケット１２２は、通信部３３がＰＣ５から受け取った暗号化されている原稿データ１２１及びジョブチケット１２２が、暗号処理部３７により復号されて記憶されたものであり、ＰＣ２が保持している原稿データ１２１及びジョブチケット１２２と内容的に同じものである。
印刷ログ１２５は、印刷部３４により行われる原稿データ１２１の印刷の結果に関するログである。
【００３６】
印刷ログ１２５には、ジョブチケット１２２により指定された印刷部数の印刷である本印刷を行った部数の他、本印刷の部数を超えて増刷した場合の増刷要因毎の増刷数も記録される。本実施形態では、増刷要因として、後述の確認印刷、不具合印刷、ジャムの発生を例として説明している。
図６は、印刷ログ１２５の一例を示す図である。
【００３７】
印刷ログ１２５は、一例として、原稿ＩＤ、印刷成功部数、確認印刷部数、不具合印刷部数、ジャム部数、合計部数及びコメントの各項目を含む。
原稿ＩＤは、ログの対象である原稿を識別する識別情報である。本実施形態では、原稿ＩＤとして、原稿データ１２１を特定する値０００１が設定されている。
印刷成功部数は、原稿ＩＤで示される原稿について、印刷部３４による印刷が成功した部数を示す。
【００３８】
確認印刷部数は、原稿ＩＤで示される原稿について、ジョブチケットにより指定された印刷部数を実際に印刷するのに先立ち、色目の確認などのために行われる場合がある確認印刷（いわゆる試し刷り）を行った部数を示す。
不具合印刷部数は、印刷部３４による原稿データ１２１の印刷結果について印刷不良があることが、印刷業者の目視等で明らかになった場合に、これを補填するためなどに増刷した部数を示す。
【００３９】
ジャム部数は、印刷部３４による原稿データ１２１の印刷の際、紙詰まり、トナー切れなどによるジャムが発生した場合にそのジャムが発生した部数を示す。なお、本実施形態では、印刷途中にジャムが発生した場合には、ジャムが発生した頁から継続して印刷するのではなく、その部について１頁目から印刷し直すことを前提としている。
合計部数は、印刷成功部数、確認印刷部数、不具合印刷部数及びジャム部数の合計の部数を示す。
【００４０】
コメントには、例えば印刷業者が操作部３２を用いて入力する文字などが記載される。一例として、コメントに「不具合印刷は赤色の色再現性が悪かったものです」との記載をする。
これにより、印刷ログを顧客が受け取った場合に、顧客は不具合印刷の理由その他の増刷の理由などを知ることができる。これらのコメントは、例えば、原稿データ１２１の増刷の正当性を顧客が判断する場合の助けになる。
【００４１】
ログ生成部３５は、印刷ログ１２５を生成して記憶部３６に記録し、また、印刷ログ１２５の内容を更新する。
ログ生成部３５は、制御部３９から、原稿データ１２１の印刷に成功した部数の通知を受けた場合には、通知された部数を印刷ログ１２５の印刷成功部数として記録する。
また、ログ生成部３５は、制御部３９から増刷要因と増刷数との通知を受けた場合には、印刷ログ１２５に、増刷要因毎の増刷数を記録する。
【００４２】
ここで、ログ生成部３５は、印刷ログ１２５中の印刷成功部数、確認印刷部数、不具合印刷部数、ジャム部数を更新等した場合には、印刷成功部数、確認印刷部数、不具合印刷部数及びジャム部数を合計し合計部数として印刷ログ１２５に記録する。
また、ログ生成部３５は、印刷業者がコメントとして操作部３２を用いて入力する文字などを取得し、印刷ログ１２５のコメントとして記録する。
【００４３】
鍵保持部３７は、予めＭＦＰ６について生成された一組の公開鍵と私有鍵である、ＭＦＰ私有鍵１１１とＭＦＰ公開鍵１１２のうち、ＭＦＰ私有鍵１１１を記憶している。また、鍵保持部３７は、予めＰＣ２について生成された一組の公開鍵と私有鍵である顧客私有鍵１０１と顧客公開鍵１０２のうちの顧客公開鍵１０２を記憶している。
暗号処理部３８は、制御部３９から暗号化された原稿データ１２１と、暗号化されたジョブチケット１２２との復号を指示されると、暗号化された原稿データ１２１と、暗号化されたジョブチケット１２２とをＭＦＰ私有鍵１１１を用いて復号し、復号後の原稿データ１２１とジョブチケット１２２とを記憶部３６に記憶し、制御部３９に復号完了を通知する。
【００４４】
また、暗号処理部３８は、制御部３９から印刷ログ１２５を暗号化するよう指示された場合に、印刷ログ１２５を顧客公開鍵１０２を用いて暗号化する。
暗号化された印刷ログ１２５は、通信部３３によりＰＣ２に対して送信される。
ここで、通信部３３は、ＰＣ２の識別情報（ＩＰアドレスなど）を予め保持しており、ＰＣ５を介さずに、ネットワークを介してＰＣ２と直接通信する。
【００４５】
なお、通信部３３は、ＰＣ５を介さずにネットワークを介してＰＣ２と直接通信するとしたが、印刷ログ１２５を暗号化するなどしてＰＣ５において印刷ログ１２５の内容が閲覧、改竄等がされないように取り扱われる場合であれば、印刷ログ１２５をＰＣ５を介してＰＣ２に送信することとしてもよい。
ここで、ＰＣ５への印刷ログ１２５の送信は、ＦＴＰ（Ｆｉｌｅ  Ｔｒａｎｓｆｅｒ  Ｐｒｏｔｏｃｏｌ）などのファイルを転送できるプロトコルを用いてもよいし、顧客への電子メールに添付するなどの方法で送信することとしてもよい。また、ＰＣ５と、ＰＣ２との間の通信は、安全性向上のため、ＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）などを用いた暗号化通信により行うこととしてもよい。
【００４６】
制御部３９は、ＭＦＰ６の全体制御を行い、特に、表示部３１、操作部３２と共に、原稿データの印刷、増刷について制御する制御手段として動作する。また、確認印刷、不具合印刷、本印刷を含む印刷について制御する制御部として印刷部３４、ログ生成部３５と協働する。
ここで、印刷処理について、制御部３９の動作を中心に図面を用いて説明する。
【００４７】
図７、図８は、印刷処理を示すフローチャートである。
印刷処理は、ＭＦＰ６がＰＣ５から暗号化印刷要求データを受信することにより開始される。印刷要求データには、暗号化された原稿データ１２１と、ジョブチケット１２２が含まれている。この図７と図８の印刷処理においては、原稿データ１２１と、ジョブチケット１２２とは既に復号済みの状態であるとする。
【００４８】
ここで、原稿データ１２１について印刷すべき部数は、ジョブチケット１２２の印刷部数の項に記載されている。本実施形態では、一例として印刷部数（以下、印刷部数Ａともいう。）は１００部であるものとする。
制御部３９は、ログ生成部３５に印刷ログの生成、初期化を指示する。
ログ生成部３５は、印刷ログ１２５を生成し、初期化する（Ｓ１１）。具体的には、印刷ログ１２５中の印刷成功部数ｓ、確認印刷部数ｔ、不具合印刷部数ｅ、ジャム部数ｊ、合計部数ａの各項目を値０で初期化する。
【００４９】
次に、制御部３９は、表示部３１に指示し、確認印刷の有無を、印刷業者に確認するためのパネルを表示させる（Ｓ１２）。
図１０は、Ｓ１２において表示部３１に表示されるパネルの一例であるパネル２０１を示す。
パネル２０１は、確認印刷ボタン２０２、ＯＫボタン２０３を含む。印刷業者は、パネル２０１の表示を見て、確認印刷を行うか否かを判断し、確認印刷を行うと判断した場合、確認印刷ボタン２０２に触れる。また、本印刷を行う場合、ＯＫボタン２０３に触れる（Ｓ１３）。
【００５０】
なお、本実施形態では、確認印刷は１部行うこととするが、印刷部数の入力を受け付けて、その入力された印刷部数だけ確認印刷することとしてもよい。
確認印刷ではなく、本印刷が選択された場合（Ｓ１４：Ｎｏ）、制御部３９は、ジョブチケットで指定されたＡ（＝１００）部の印刷を印刷部３４に指示する。印刷部３４は、ｓがＡ未満の場合（Ｓ１５：Ｎｏ）、原稿データ１２１を１部印刷する（Ｓ１６）。印刷部３４は、印刷時にジャムが発生した場合、ジャム発生を制御部３９に通知し、ジャムが発生しなかった場合、制御部３９に原稿データ１２１の１部印刷完了を通知する。
【００５１】
制御部３９は、ジャムが発生しなかった場合（Ｓ３１：Ｎｏ）、すなわち１部印刷完了の通知を印刷部３４から受け取った場合、ログ生成部３５にｓを１カウントアップさせ（Ｓ３３）、ａの値（ｓ＋ｔ＋ｅ＋ｊ）を再計算させ（Ｓ３４）、Ｓ１５に移行する。制御部３９は、ジャム発生の通知を印刷部３４から受け取った場合（Ｓ３１：Ｙｅｓ）、ジャム発生時処理（Ｓ３２）を実行する。
【００５２】
図９は、ジャム発生時処理を示すフローチャートである。
制御部３９は、ログ生成部３５にジャム部数ｊを１カウントアップさせ（Ｓ７１）、ａの値（ｓ＋ｔ＋ｅ＋ｊ）を再計算させる（Ｓ７２）。そして、制御部３９は、表示部３１に指示して、印刷業者に対してジャム解消を要求する旨の表示をさせる（Ｓ７３）。
そして、制御部３９は、印刷業者によってジャム解消の措置がされるのを待ち（Ｓ７４）、解消されればジャム発生時処理を終了する。
【００５３】
ここで、図７の説明に戻る。
Ｓ１３において、確認印刷が選択された場合（Ｓ１４：Ｙｅｓ）、制御部３９は、印刷部３４に対し確認印刷を実行させる（Ｓ２１）。
印刷部３４は、印刷時にジャムが発生した場合、ジャム発生を制御部３９に通知し、ジャムが発生しなかった場合、制御部３９に確認印刷完了を通知する。
【００５４】
制御部３９は、ジャム発生の通知を印刷部３４から受け取った場合（Ｓ２２：Ｙｅｓ）、ジャム発生時処理を行い（Ｓ２３）、Ｓ２１に移行する。
ここで、Ｓ２３のジャム発生時処理は、Ｓ３２のジャム発生時処理と同じ処理であり、既に図９を用いて説明したので、再度の説明は省略する。ジャムが発生しなかった場合（Ｓ２２：Ｎｏ）、すなわち確認印刷完了の通知を印刷部３４から受け取った場合、ログ生成部３５にｔを１カウントアップさせ（Ｓ２４）、ａの値（ｓ＋ｔ＋ｅ＋ｊ）を再計算させ（Ｓ２５）、Ｓ１２に移行する。
【００５５】
本印刷が終了した後（Ｓ１５：Ｙｅｓ）、制御部３９は、表示部３１に対し不具合印刷（印刷不具合が増刷要因である増刷）の実行有無を印刷業者に確認するパネルを表示させる（Ｓ４１）。
図１１は、Ｓ４１で表示部３１に表示するパネル２１１を示す図である。
印刷業者は、図１１のパネル２１１の表示を見て、追加印刷を行うか否かを判断し、追加印刷を行うと判断した場合、Ｙｅｓボタン２１３に触れ、追加印刷を行わないと判断した場合、Ｎｏボタン２１４に触れる（Ｓ４２）。ここで、パネル２１１の追加印刷部数（以下、追加印刷部数Ｆという。）を示すボックス２１２には、初期値として１（Ｆ＝１）が設定されている。印刷業者は、２部以上追加印刷が必要な場合、操作部３２のキーパッド、タッチパネル等を操作することで、所望の追加印刷部数をボックス２１２に入力することで追加印刷部数Ｆを変更する。
【００５６】
Ｓ４２において、Ｙｅｓボタンに触れられた場合（Ｓ４３：Ｙｅｓ）、制御部３９は、ログ生成部３５に不具合印刷部数ｅにＦを加算させる（Ｓ４４）。
また、制御部３９は、ログ生成部３５に印刷成功部数ｓからＦ減算させ（Ｓ４５）、ａの値（ｓ＋ｔ＋ｅ＋ｊ）を再計算させる（Ｓ４６）。そして、制御部３９は、表示部３１に指示し、印刷パラメータの入力を促すパネルを表示する（Ｓ４７）。
【００５７】
不具合印刷は、ＭＦＰ６においては印刷エラーは検出されなかったものの、印刷結果を印刷業者が検査し実際の印刷品質が悪いと判断した場合にこれを補填するための増刷を行うものである。この実際の印刷品質が悪い場合とは、印刷装置内外の温度変化、湿度変化、印刷用紙の状態の変換、連続印刷による印刷装置自体のコンディションの変化など印刷環境に変化が生じ、トナーこぼれ、かすれが発生した場合や、トナーのりが悪くなり印刷物において色が薄くなってしまった場合などが想定される。
【００５８】
印刷業者は、印刷品質を向上させるために、操作部３２を用いて、ＭＦＰ６に対する印刷パラメータ（例えば、印刷濃度、カラーバランス、明度、コントラスト、再度など）の入力を行い（Ｓ４８）、Ｓ１５に移行する。印刷パラメータは、一例として表示部３１に印刷パラメータ入力用のパネルを表示し、そのパネルを用いて印刷業者が入力するものとするが、入力方法については公知であるので詳細な説明は省略する。
【００５９】
Ｓ４２において、Ｎｏボタン２１４に触れられた場合（Ｓ４３：Ｎｏ）、印刷が完了したものとしてジョブチケット１２２を無効化し（Ｓ５０）、印刷処理を完了する。
２．動作
図１２は、印刷システム１において、原稿データが印刷依頼装置である顧客のＰＣ２から印刷請負装置である印刷業者のＰＣ５にデータ入稿され、印刷業者の印刷装置であるＭＦＰ６により印刷されて、その印刷ログがＭＦＰ６からＰＣ２に通知されるまでの動作を示す図である。
【００６０】
まず、ＰＣ２において、暗号処理部１６が、印刷の対象となる原稿データ１２１と、ジョブチケット１２２とをＭＦＰ公開鍵１１２を用いて暗号化する（Ｓ１０１）。
制御部１５は、暗号化された原稿データ１２１と暗号化されたジョブチケット１２２とから成る印刷データに、印刷を行うＭＦＰ６を示す識別子であるＭＦＰ−ＩＤを印刷データに付加して印刷要求データを生成する（Ｓ１０２）。ここで、制御部１５は、印刷を行うＭＦＰがＭＦＰ６であることを予め設定等で認識しており、ＭＦＰ６のＭＦＰ−ＩＤを予め記憶しているものとする。
【００６１】
制御部１５は、通信部１３を介して、ＰＣ５に対し、印刷要求データを送信する（Ｓ１０３）。
ＰＣ５の通信部２４は、印刷要求データを受け取り、受け取った旨を制御部２３に通知する。
制御部２３は、印刷要求データから印刷データを抽出する（Ｓ１１１）。そして、印刷要求データに含まれるＭＦＰ−ＩＤにより識別されるＭＦＰ６に対し通信部２４を介して印刷データを送信する（Ｓ１１２）。
【００６２】
ＭＦＰ６の通信部３３は、印刷データを受信し、制御部３９に対しその旨通知する。
制御部３９は、印刷データに含まれる暗号化された原稿データ１２１と、暗号化されたジョブチケット１２２とを復号するよう暗号処理部３８に指示する。
暗号処理部３８は、ＭＦＰ私有鍵１１１を用いて暗号化された原稿データ１２１と、暗号化されたジョブチケット１２２とを復号し（Ｓ１２１）、復号完了を制御部３９に通知する。
【００６３】
制御部３９は、暗号処理部３８から復号完了の通知を受けて、原稿データ１２１の印刷処理を実行する（Ｓ１２２）。ここで、印刷処理の実行にあたり、制御部３９は、ジョブチケット１２２に記載されている項目を印刷パラメータとして、ジョブＩＤが０００１であり、原稿ＩＤが０００１であり、印刷部数が１００部であり、用紙サイズがＡ４であり、印刷倍率は１倍であり、仕上げとしてステープル処理を行うことを印刷部３４に通知するものとする。印刷部３４では、印刷パラメータに従い印刷を実行する。すなわち印刷部３４において、原稿データ１２１の印刷はＡ４用紙に１倍の印刷倍率で１００部され１部毎にステープル処理がされることとなる。
【００６４】
Ｓ１２２の印刷処理は、図７から図９を用いて既に説明した印刷処理と同じ処理である。この印刷処理により、ＭＦＰ６において、印刷ログ１２５が生成される。
ＭＦＰ６の制御部３９は、暗号処理部３８に、印刷ログ１２５の暗号化を指示する。暗号処理部３８は、印刷ログ１２５をジョブチケット１２２に含まれる発行元ＩＤで示されるＰＣ２の公開鍵である顧客公開鍵１０２を用いて暗号化し、暗号化完了を制御部３９に通知する（Ｓ１２３）。
【００６５】
制御部３９は、通信部３３を介して、ジョブチケット１２２に含まれる発行元ＩＤで示されるＰＣ２に対し、暗号化された印刷ログ１２５を送信する（Ｓ１２４）。
ここで、制御部３９は、発行元ＩＤと、データの送信先（例えば発行元のＰＣのＩＰアドレス、発行元の顧客のメールアドレス等）との対応を予め記憶しているものとする。すなわち、制御部３９は、発行元ＩＤがＰＣ２を示す場合に、印刷ログ１２５の送信先としてＰＣ２のＩＰアドレスを取得できるものとする。ＰＣ２の制御部１５は、通信部１３を開始、暗号化された印刷ログ１２５を受信する。そして、暗号処理部１６に対し、暗号化された印刷ログ１２５の復号を指示する。
【００６６】
暗号処理部１６は、顧客私有鍵１０１を用いて、暗号化された印刷ログ１２５を復号し（Ｓ１３１）、復号が完了した旨を制御部１５に通知する。
制御部１５は、表示部１１に対し印刷ログ１２５を表示するよう指示する。そして、表示部１１は、印刷ログを表示部１１に含まれるディスプレイデバイスに表示する（Ｓ１３２）。以上で、動作の説明を終える。
【００６７】
以上、説明した通り、ＭＦＰ６において、確認印刷（試し刷り印刷）や、不具合印刷を増刷要因とする増刷部数は、顧客がジョブチケットで指定した印刷部数とは独立して管理され、増刷要因毎の印刷部数が印刷ログに記憶される。そして、印刷ログはＰＣ２に送信されて、ＰＣ２の表示部に表示される。よって、顧客は、本印刷以外に原稿データの増刷がされた場合にその増刷要因、増刷部数を知り、増刷の妥当性を判断することができる。顧客により増刷が不当と判断されれば、その印刷業者について取引停止等の措置が取られ得ることから、印刷業者による原稿データの不当な増刷は抑止されることとなる。
３．変形例
なお、本発明を上記の実施の形態に基づいて説明してきたが、本発明は、上記の実施の形態に限定されるものではなく、本発明の要旨を逸脱しない範囲内において種々変更を加え得ることは勿論である。
（１）上述の本実施形態では、印刷ログにおいて、印刷した数を頁単位ではなく部単位で計数して記録している。しかしながら、これに限るものではなく、頁単位など他の単位に基づいて計数することとしてもよい。
【００６８】
例えば、ジャム発生時には、ジャムが発生した頁から印刷を継続するものとして、ジャムにより紙詰まりを生じた頁数だけ、印刷ログに記録することとしてもよい。
なお、部数単位で計数する場合、ジャムが発生した部における最初の頁からジャム発生直前の頁までについても利用されず破棄等される。一方で、頁単位で計数する場合、ジャムが発生した部における最初の頁からジャム発生直前の頁までについては利用し、ジャムが発生した頁から最終頁までについて継続して印刷することとなる。上記ジャム発生時の説明は、確認印刷、不具合印刷など他の増刷要因についても当然適用できる。
（２）上述の実施形態では、確認印刷の有無、不具合印刷の有無、不具合印刷の部数の入力など、印刷業者が何らかの入力を行う際のＧＵＩは、ＭＦＰ６の表示部３１に表示されることとしていた。また、この入力は、ＭＦＰ６の操作部３２を用いて行っていた。しかしながら、これに限らず、ＭＦＰ６が、表示すべきＧＵＩを表す情報をＰＣ５に通知し、その通知に基づいてＰＣ５がＧＵＩを表示部２１に表示してもよい。この場合、ＰＣ５の表示部２１に表示されるＧＵＩに基づき、印刷業者は、ＰＣ５の操作部２２を用いて確認印刷の有無、不具合印刷の有無、不具合印刷の部数について入力をする。この入力された情報は、ＰＣ５からＭＦＰ６に転送される。
（３）上述の実施形態では、ＭＦＰ６は、印刷ログをＰＣ２に送信することとしていたが、これに限らない。印刷ログに相当する情報をジョブチケットに書き込んで、ＰＣ２に送り返すこととしてもよい。
（４）上述の実施形態では、ＰＣ２と、ＭＦＰ６との間のデータの暗号化通信、復号は、公開鍵暗号方式を利用した例で説明したが、ＰＣ２とＭＦＰ６との間の通信の秘匿性が確保できさえすれば、他の暗号方式、通信方式を用いてもよい。
（５）上述の実施形態は、ＰＣ５では、暗号化されたジョブチケットを復号できない構成の例で説明したが、ＰＣ５においてジョブチケットの内容が改変できない構成或いは改変を検出できる構成であれば、他の構成を採用してもよい。例えば、ＰＣ２においてジョブチケットに署名を付し、ＭＦＰ６において署名を用いてジョブチケットの改変を検出することとしてもよい。ＰＣ５においてジョブチケットの改変があれば、ＭＦＰ６はジョブチケットに改変があったことを署名を用いて検出し、このジョブチケットを破棄する。よって、ＭＦＰ６は、ジョブチケットにおいて指定される印刷部数の改変などがされた場合に、改変された指定部数印刷してしまうのを防ぐことができる。
（６）印刷装置には、プリンター、複写機、ファクシミリ装置、多機能複合機などが含まれる。
（７）上記実施の形態及び上記変形例をそれぞれ組み合わせるとしてもよい。
【産業上の利用可能性】
【００６９】
本発明の印刷装置は、原稿をデータ入稿する印刷システムにおいて原稿を印刷する印刷装置、画像形成装置として利用するのに好適であり、出版業界などで広く利用される。
【符号の説明】
【００７０】
１  印刷システム
２  ＰＣ
３  ネットワーク
４  ルーティングハブ
５  ＰＣ
６  ＭＦＰ
３１  表示部
３２  操作部
３３  通信部
３４  印刷部
３５  制御部
３６  記憶部
３７  鍵保持部
３８  暗号処理部
３９  制御部
１０１  顧客私有鍵
１０２  顧客公開鍵
１１１  ＭＦＰ私有鍵
１１２  ＭＦＰ公開鍵
１２１  原稿データ
１２２  ジョブチケット
１２５  印刷ログ
【図１】
2012111102.tif 000003
【図２】
2012111102.tif 000004
【図３】
2012111102.tif 000005
【図４】
2012111102.tif 000006
【図５】
2012111102.tif 000007
【図６】
2012111102.tif 000008
【図７】
2012111102.tif 000009
【図８】
2012111102.tif 000010
【図９】
2012111102.tif 000011
【図１０】
2012111102.tif 000012
【図１１】
2012111102.tif 000013
【図１２】
2012111102.tif 000014